(57)【要約】      （修正有）【課題】魚体に突き刺しやすく、かつ、魚体から外れにくい背針を提供する。【解決手段】魚体に突き刺される針部５と、針部の元部側から延びてハリスに取り付けられる軸部３と、を備え、軸部から針部にかけて、略Ｓ字形状に湾曲して形成される。針部が、軸部から二股状に延びるように、形成されていることが好ましい。【選択図】図１
0003191836.tif 000002
【実用新案登録請求の範囲】
【請求項１】
魚体に突き刺される針部と、該針部の元部側から延びてハリスに取り付けられる軸部と、を備える背針であって、
前記軸部から前記針部にかけて、略Ｓ字形状に湾曲して形成されることを特徴とする背針。
【請求項２】
前記針部が、前記軸部から二股状に延びるように、形成されていることを特徴とする請求項１に記載の背針。
【考案の詳細な説明】
【技術分野】
【０００１】
本考案は、鮎の友釣りに好適な背針に関する。
【背景技術】
【０００２】
一般に、鮎の友釣りは、予め捕獲しておいた囮鮎を用い、この囮鮎を、河川における川底付近の野鮎の生息ポイントに誘導して、野鮎に囮鮎を攻撃させることにより、囮鮎から出ているハリスに連結されている掛針を用いて、野鮎を釣り上げる方法である。そして、この友釣りでは、囮鮎は鼻カンによってハリスに取り付けられている。しかしながら、鼻カンのみによって囮鮎を取り付ける場合、ハリスからの力が鼻カンに集中し、囮鮎が早々に弱ってしまう。
【０００３】
そのため、昨今では、囮鮎の鼻に作用する力を分散させるために、背針を用い、囮鮎を、鼻カンと背針との２箇所で、ハリスに取り付けている。用いられる背針としては、一対の針部と、針部の元部側相互を連結させた軸部と、を有した二股状として構成されて、各針部の先端側を軸部側に向けるように湾曲させて、外形形状を略Ｊ字形状とした構成のものがあった（例えば、特許文献１参照）。
【０００４】
この背針では、針部の先端を魚体としての囮鮎の頭部側に進入させるようにして、上方から、囮鮎の背中に突き刺す構成である。しかしながら、このような構成の背針では、囮鮎の背中に突き刺した際に、針部が、先端を囮鮎の頭部側に向けるように配置されることとなる。また、このような構成の背針では、軸部を把持しつつ針部を囮鮎の背中に突き刺す際に、軸部を手前に引っ張りつつ、針部を手前に移動させるようにして、突き刺すことから、突き刺し時に、硬くて滑る鮎の背中に深く突き刺し難かった。そのため、この従来の背針では、針部が先端を囮鮎の頭部側に向けるように配置されることと相まって、囮鮎を泳がせている際に、囮鮎から抜けてしまう場合が生じていた。
【０００５】
また、背針としては、一対の針部を、元部側を連結させ、中間部位付近を相互に離隔させ、先端側の針先を相互に接近させるように、それぞれ、屈曲させて構成され、各針先を、先端を相互に接近させつつ元部側に向けるように、湾曲させて構成されるものがあった（例えば、特許文献２参照）。
【先行技術文献】
【特許文献】
【０００６】
【特許文献１】特開２０００−１８９００１公報
【特許文献２】特開２００３−２３０３２９公報
【考案の概要】
【考案が解決しようとする課題】
【０００７】
上記特許文献２に記載の背針では、囮鮎の背中の上方から背針を下降移動させつつ、針先相互を拡開させるようにして、針部間に囮鮎の背中の一部を挟み、その後、背針全体を引き上げることにより、相互に接近するように復元する針部の針先が、上昇移動しつつ囮鮎の背中に進入して、囮鮎の背中に突き刺される構成であった。しかしながら、この特許文献２に記載の背針においても、針部の復元力を利用して、針先を囮鮎の背中に突き刺す構成であることから、突き刺し時に、硬くて滑る鮎の背中に深く突き刺せない場合があり、突き刺し状態を安定させ難く、囮鮎を泳がせている際に、抜けてしまう虞れがあった。
【０００８】
本考案は、上述の課題を解決するものであり、魚体に突き刺しやすく、かつ、魚体から外れにくい背針を提供することを目的とする。
【課題を解決するための手段】
【０００９】
本考案に係る背針は、魚体に突き刺される針部と、針部の元部側から延びてハリスに取り付けられる軸部と、を備える背針であって、
軸部から針部にかけて、略Ｓ字形状に湾曲して形成されることを特徴とする。
【００１０】
本考案の背針では、針部の先端側を、魚体から離隔させるようにして、魚体に突き刺して使用することができる。具体的には、本考案の背針は、針部の先端を上側に向けるように傾斜させた状態で軸部を把持した状態から、先端を下側に向けて魚体に差し込みつつ、再度先端を上方に向けつつ背針を魚体内に押し込むように軸部を押し下げれば、背針を魚体に深く突き刺すことができる。すなわち、本考案の背針は、軸部から針部にかけて略Ｓ字形状に湾曲していることから、一旦、軸部を上側に位置させるように傾けた状態から、軸部を押し下げつつ、針部を押し出すようにして、魚体に突き刺すことができて、囮鮎に突き刺す場合にも、硬くて滑る鮎の背中に、深く安定して突き刺すことができる。また、本考案の背針では、針部の先端を、魚体の尾びれ側に向けるように突き刺されていることから、囮鮎を泳がせている際にも、抜け難い。
【００１１】
したがって、本考案の背針では、魚体に突き刺しやすく、かつ、魚体から外れにくい。
【００１２】
また、本考案の背針は、軸部から針部にかけて略Ｓ字形状に湾曲して形成されていることから、魚体に突き刺す際に、作業者の把持する軸部が、魚体から上方に離隔して大きく突出するように配置されるとともに、湾曲していることから手になじみやすく、突き刺し作業時に、軸部を把持しやすく、作業性が良好である。そのため、魚体に突き刺す際の作業時間の増大を抑制することができ、この背針の突き刺し作業により、魚が弱ることも抑制できる。
【００１３】
さらに、本考案の背針において、針部を、軸部から二股状に延びるように、形成すれば、２つの針部を魚体に突き刺すことにより、針部を安定して魚体に突き刺すことができて、好ましい。
【図面の簡単な説明】
【００１４】
【図１】本考案の一実施形態である背針の概略斜視図である。
【図２】実施形態の背針を使用した状態を示す概略図である。
【図３】実施形態の背針を囮鮎の背中に突き刺す過程を説明する概略図である。
【考案を実施するための形態】
【００１５】
以下、本考案の一実施形態を図面に基づいて説明する。実施形態の背針１は、鮎の友釣りに使用されるもので、図２に示すように、鼻カンＲと併用されて囮鮎ＡをハリスＨに取り付けるためのものである。なお、実施形態では、特に断らない限り、背針１を取り付ける魚体（囮鮎Ａ）の頭部ＡＨ側となる軸部３側を前方とし、囮鮎Ａに取り付けた状態の針部５の先端５ａ側を上方として、説明をする。
【００１６】
実施形態の背針１は、図１に示すように、ハリスＨに連結される軸部３と、軸部３から二股状に延びる一対の針部５（５Ｌ，５Ｒ）と、を備えている。各針部５Ｌ，５Ｒは、軸部３から分岐して先端５ａにかけて拡開されるとともに、略左右対称形として、構成されている。詳細には、針部５Ｌ，５Ｒは、先端５ａ側を略平行とするように、構成されている。また、実施形態の場合、背針１は、側方から見た外形形状を、略「Ｓ」字形状とされている（図１参照）。詳細には、背針１は、軸部３を、針部５から離れた元部端３ａ側を下側に向けるように湾曲させ、各針部５（５Ｌ，５Ｒ）を、軸部３から離れた先端５ａ側を上側に向けるように湾曲させて、軸部３から針部５にかけて、略Ｓ字形状に湾曲して形成されている。軸部３の元部端３ａ側には、ハリスＨを連結させるための連結環４が、配置されている。実施形態では、一方の針部５Ｌと軸部３が一体的に形成され、他方の針部５Ｒが、元部側を軸部３に連結されて、背針１を構成している。
【００１７】
そして、実施形態の背針１は、針部５の先端５ａ側を、囮鮎Ａ（魚体）から離隔させるようにして、囮鮎Ａに突き刺すことができる。具体的には、図３のＡに示すように、元部端３ａを下方に向けるようにして、軸部３を把持した状態から、囮鮎Ａの尾びれＡＳ側に向いている針部５（５Ｌ，５Ｒ）の先端５ａを下方に向けるように背針１全体を傾けつつ、囮鮎Ａの背中に、針部５の先端５ａを突き刺す。その後、図３のＢに示すごとく、針部５の先端５ａを囮鮎Ａの背中に進入させるように、針部５の先端５ａを上方に向けつつ、背針１全体を押し出すようにして（背針１を囮鮎Ａ内に押し込むようにして）、軸部３を押し下げれば、針部５を、囮鮎Ａの背中に深く突き刺すことができる。すなわち、実施形態の背針１は、軸部３から針部５にかけて略Ｓ字形状に湾曲して形成されていることから、一旦、軸部３を上側に位置させるように傾斜させた状態から、軸部３を押し下げつつ、針部５を押し出す（囮鮎Ａの背中に押し込む）ようにすれば、針部５の先端５ａを囮鮎Ａの背中に突き刺すことができて、硬くて滑る鮎Ａの背中に、針部５を深く安定して突き刺すことができる。また、実施形態の背針１では、針部５の先端５ａが、図２に示すように、囮鮎Ａの尾びれＡＳ側に向けるように突き刺されていることら、囮鮎Ａを泳がせている際にも、抜け難い。
【００１８】
したがって、実施形態の背針１では、魚体としての囮鮎Ａに突き刺しやすく、かつ、囮鮎Ａから外れにくい。
【００１９】
また、実施形態の背針１は、軸部３から針部５にかけて略Ｓ字形状に湾曲して形成されていることから、囮鮎Ａに突き刺す際に、図３のＡに示すように、作業者の把持する軸部３が、囮鮎Ａから上方に離隔して突出するように配置されるとともに、湾曲していることから手になじみやすく、突き刺し作業時に、軸部３を把持しやすく、作業性が良好である。そのため、囮鮎Ａに突き刺す際の作業時間の増大を抑制することができ、この背針１の突き刺し作業により、囮鮎Ａが弱ることも抑制できる。
【００２０】
さらに、実施形態の背針１では、針部５Ｌ，５Ｒを、軸部３から二股状に延びるように、形成していることから、２つの針部５Ｌ，５Ｒを囮鮎Ａに突き刺すことにより、針部５Ｌ，５Ｒを安定して囮鮎Ａに突き刺すことができる。なお、このような点を考慮しなければ、針部を２つ並設させず、針部を１つのみ備える構成としてもよい。
【符号の説明】
【００２１】
１…背針、３…軸部、３ａ…元部端、５（５Ｌ，５Ｒ）…針部、５ａ…先端、Ｈ…ハリス、Ａ…囮鮎（魚体）。
【図１】
0003191836.tif 000003
【図２】
0003191836.tif 000004
【図３】
0003191836.tif 000005